(57)【要約】コンテンツサーバ１０は、ユーザ端末２０から送信された書籍コンテンツの検索要求に応じて、データベースから検索要求に合致する書籍コンテンツを検索し、検索された書籍コンテンツについて複数頁からなるサンプル画像データを作成して、このサンプル画像データを含む検索結果情報をユーザ端末２０に配信し、ユーザ端末２０は、コンテンツサーバ１０から配信された検索結果情報を受信した場合、当該検索結果情報内にある書籍コンテンツのサンプル画像データに基づき、先頭頁の画像をサムネイル表示した検索結果画面を表示し、検索結果画面上のサンプル画像に対して、ユーザが頁捲り動作の指示を行った場合、検索結果画面上で、当該指示の行われた書籍コンテンツのサンプル画像を１頁毎に頁捲り動作させる。これにより、検索の結果として得られたコンテンツを表示した検索結果画面から、表示された各コンテンツに関するより詳細な情報を得ることができる。
2012039054.tif 000002
【特許請求の範囲】
【請求項１】
通信ネットワークを介して互いに接続されたコンテンツサーバとユーザ端末とを備えた書籍コンテンツ配信システムにおいて、
前記コンテンツサーバは、
書籍コンテンツの検索を行うための検索用データベースと、
前記ユーザ端末から送信された書籍コンテンツの検索要求に応じて、前記データベースから前記検索要求に合致する書籍コンテンツを検索する検索手段と、
前記検索手段により検索された書籍コンテンツについて、複数頁からなるサンプル画像データを作成するサンプル画像データ作成手段と、
前記サンプル画像データ作成手段により作成されたサンプル画像データを含む検索結果情報を、前記ユーザ端末に配信する検索結果情報配信手段と、
を備え、
前記ユーザ端末は、
前記検索要求に応じて前記コンテンツサーバから配信された検索結果情報を受信した場合、当該検索結果情報内にある書籍コンテンツのサンプル画像データに基づき、先頭頁の画像をサムネイル表示したサムネイル画面を表示する表示手段と、
前記サムネイル画面上にサムネイル表示された書籍コンテンツのサンプル画像に対して、ユーザが頁捲り動作の指示を行った場合、前記サムネイル画面上で、当該指示の行われた書籍コンテンツのサンプル画像を１頁毎に頁捲り動作させる画像制御手段と、
を備えることを特徴とする書籍コンテンツ配信システム。
【請求項２】
前記ユーザ端末は、
前記サムネイル画面上にサムネイル表示された書籍コンテンツのサンプル画像に対して、ユーザがサンプル画像を拡大させる指示を行った場合、当該指示の行われた書籍コンテンツのサンプル画像を拡大表示した拡大画面を表示する拡大表示手段を備え、
前記画像制御手段は、
前記拡大画面上に拡大表示された書籍コンテンツのサンプル画像に対して、ユーザが頁捲り動作の指示を行った場合、前記拡大画面上で、当該指示の行われた書籍コンテンツのサンプル画像を１頁毎に頁捲り動作させることを特徴とする請求項１に記載の書籍コンテンツ配信システム。
【請求項３】
前記ユーザ端末は、
前記サムネイル画面又は前記拡大画面が表示されてから、予め設定された所定時間以内に前記頁捲り動作の指示があるか否か判断する判断手段と、
前記判断手段により前記頁捲り動作の指示がないと判断された場合、前記サムネイル画面又は前記拡大画面上で、予め設定された条件に基づいて書籍コンテンツのサンプル画像を１頁毎に頁捲り動作させる第２画像制御手段と、
を備えることを特徴とする請求項２に記載の書籍コンテンツ配信システム。
【請求項４】
前記サンプル画像データ作成手段は、
前記検索手段により検索された書籍コンテンツに関連する二次コンテンツを、付帯情報としてサンプル画像データに付帯させ、
前記画像制御手段は、
前記付帯情報に基づく二次コンテンツの画像に対して前記頁捲り動作の指示が行われた場合、前記サムネイル画面又は前記拡大画面上で、当該指示の行われた二次コンテンツの画像を１頁毎に頁捲り動作させることを特徴とする請求項２に記載の書籍コンテンツ配信システム。
【請求項５】
前記コンテンツサーバは、
前記ユーザ端末から送信された、複数の書籍コンテンツのサンプル画像を連続して一括再生するためのスクラップブックを作成するスクラップブック作成要求に応じて、当該複数の書籍コンテンツのスクラップブックを作成するスクラップブック作成手段と、
前記スクラップブック作成手段により作成された書籍コンテンツのスクラップブックを、前記ユーザ端末に配信するスクラップブック配信手段と、
を備え、
前記ユーザ端末は、
前記スクラップブック作成要求に応じて前記コンテンツサーバから配信されたスクラップブックを受信した場合、スクラップブックを再生するスクラップブック再生手段を備えることを特徴とする請求項１〜４の何れか一項に記載の書籍コンテンツ配信システム。
【請求項６】
通信ネットワークを介してユーザ端末と接続されたコンテンツサーバにおいて、
書籍コンテンツの検索を行うための検索用データベースと、
前記ユーザ端末から送信された書籍コンテンツの検索要求に応じて、前記データベースから前記検索要求に合致する書籍コンテンツを検索する検索手段と、
前記検索手段により検索された書籍コンテンツについて、複数頁からなるサンプル画像データを作成するサンプル画像データ作成手段と、
前記サンプル画像データ作成手段により作成されたサンプル画像データを含む検索結果情報を前記ユーザ端末に配信する検索結果情報配信手段と、
を備えることを特徴とするコンテンツサーバ。
【発明の詳細な説明】
【技術分野】
【０００１】
本発明は、書籍コンテンツ配信システム及びコンテンツサーバに関する。
【背景技術】
【０００２】
従来、ユーザ端末から入力されたキーワードに基づいてインターネットなどのネットワークを介して検索・収集されたコンテンツが、当該ユーザ端末の検索結果画面に検索結果として表示される技術が知られている。
また、ユーザの使用感を向上させるべく、様々な検索結果画面の表示方法が提案されている。例えば、特許文献１には、検索結果をサムネイル画像で表示した検索結果画面において、個々のサムネイル画像の縦横の寸法を調整して、検索結果画面に擬似的な奥行きを与えた表示方法が開示されている。
【先行技術文献】
【特許文献】
【０００３】
【特許文献１】特開２００６−２３５７６０号公報
【発明の概要】
【発明が解決しようとする課題】
【０００４】
しかしながら、上記した従来の検索結果画面からでは、１つ１つのコンテンツについては、サムネイル画像に表示された、例えば、タイトル等の僅かな情報しか得ることができない。
特に、検索対象が書籍コンテンツである場合には、検索結果画面からでは、表示された各コンテンツについては書籍名や著者名などの情報しか得ることができず、内容に関する詳細情報は得られないため、ユーザの興味を喚起するには不十分である。
また、検索結果画面に表示された各コンテンツについての詳細情報を得るには、例えば、所望のコンテンツを選択して当該コンテンツの詳細情報の記載された別サイトに移行し、そのサイト内を閲覧するなどのやり方が一般的であるが、別サイトに移行するという手間が掛かる。【０００５】
本発明の課題は、検索の結果として得られたコンテンツを表示した検索結果画面から、表示された各コンテンツに関するより詳細な情報を得ることのできる書籍コンテンツ配信システム及びコンテンツサーバを提供することである。
【課題を解決するための手段】
【０００６】
前記課題を解決するために、請求項１に記載の発明は、
通信ネットワークを介して互いに接続されたコンテンツサーバとユーザ端末とを備えた書籍コンテンツ配信システムにおいて、
前記コンテンツサーバは、
書籍コンテンツの検索を行うための検索用データベースと、
前記ユーザ端末から送信された書籍コンテンツの検索要求に応じて、前記データベースから前記検索要求に合致する書籍コンテンツを検索する検索手段と、
前記検索手段により検索された書籍コンテンツについて、複数頁からなるサンプル画像データを作成するサンプル画像データ作成手段と、
前記サンプル画像データ作成手段により作成されたサンプル画像データを含む検索結果情報を、前記ユーザ端末に配信する検索結果情報配信手段と、
を備え、
前記ユーザ端末は、
前記検索要求に応じて前記コンテンツサーバから配信された検索結果情報を受信した場合、当該検索結果情報内にある書籍コンテンツのサンプル画像データに基づき、先頭頁の画像をサムネイル表示したサムネイル画面を表示する表示手段と、
前記サムネイル画面上にサムネイル表示された書籍コンテンツのサンプル画像に対して、ユーザが頁捲り動作の指示を行った場合、前記サムネイル画面上で、当該指示の行われた書籍コンテンツのサンプル画像を１頁毎に頁捲り動作させる画像制御手段と、
を備えることを特徴とする。【０００７】
また、請求項２に記載の発明は、請求項１に記載の書籍コンテンツ配信システムにおいて、
前記ユーザ端末は、
前記サムネイル画面上にサムネイル表示された書籍コンテンツのサンプル画像に対して、ユーザがサンプル画像を拡大させる指示を行った場合、当該指示の行われた書籍コンテンツのサンプル画像を拡大表示した拡大画面を表示する拡大表示手段を備え、
前記画像制御手段は、
前記拡大画面上に拡大表示された書籍コンテンツのサンプル画像に対して、ユーザが頁捲り動作の指示を行った場合、前記拡大画面上で、当該指示の行われた書籍コンテンツのサンプル画像を１頁毎に頁捲り動作させることを特徴とする。【０００８】
また、請求項３に記載の発明は、請求項２に記載の書籍コンテンツ配信システムにおいて、
前記ユーザ端末は、
前記サムネイル画面又は前記拡大画面が表示されてから、予め設定された所定時間以内に前記頁捲り動作の指示があるか否か判断する判断手段と、
前記判断手段により前記頁捲り動作の指示がないと判断された場合、前記サムネイル画面又は前記拡大画面上で、予め設定された条件に基づいて書籍コンテンツのサンプル画像を１頁毎に頁捲り動作させる第２画像制御手段と、
を備えることを特徴とする。【０００９】
また、請求項４に記載の発明は、請求項２に記載の書籍コンテンツ配信システムにおいて、
前記サンプル画像データ作成手段は、
前記検索手段により検索された書籍コンテンツに関連する二次コンテンツを、付帯情報としてサンプル画像データに付帯させ、
前記画像制御手段は、
前記付帯情報に基づく二次コンテンツの画像に対して前記頁捲り動作の指示が行われた場合、前記サムネイル画面又は前記拡大画面上で、当該指示の行われた二次コンテンツの画像を１頁毎に頁捲り動作させることを特徴とする。【００１０】
また、請求項５に記載の発明は、請求項１〜４の何れか一項に記載の書籍コンテンツ配信システムにおいて、
前記コンテンツサーバは、
前記ユーザ端末から送信された、複数の書籍コンテンツのサンプル画像を連続して一括再生するためのスクラップブックを作成するスクラップブック作成要求に応じて、当該複数の書籍コンテンツのスクラップブックを作成するスクラップブック作成手段と、
前記スクラップブック作成手段により作成された書籍コンテンツのスクラップブックを、前記ユーザ端末に配信するスクラップブック配信手段と、
を備え、
前記ユーザ端末は、
前記スクラップブック作成要求に応じて前記コンテンツサーバから配信されたスクラップブックを受信した場合、スクラップブックを再生するスクラップブック再生手段を備えることを特徴とする。【００１１】
また、請求項６に記載の発明は、
通信ネットワークを介してユーザ端末と接続されたコンテンツサーバにおいて、
書籍コンテンツの検索を行うための検索用データベースと、
前記ユーザ端末から送信された書籍コンテンツの検索要求に応じて、前記データベースから前記検索要求に合致する書籍コンテンツを検索する検索手段と、
前記検索手段により検索された書籍コンテンツについて、複数頁からなるサンプル画像データを作成するサンプル画像データ作成手段と、
前記サンプル画像データ作成手段により作成されたサンプル画像データを含む検索結果情報を前記ユーザ端末に配信する検索結果情報配信手段と、
を備えることを特徴とする。
【発明の効果】
【００１２】
本発明によれば、コンテンツサーバは、ユーザ端末から送信された書籍コンテンツの検索要求に応じて、検索用データベースから検索要求に合致する書籍コンテンツを検索し、検索された書籍コンテンツについて、複数頁からなるサンプル画像データを作成して、このサンプル画像データを含む検索結果情報を、ユーザ端末に配信する。
また、ユーザ端末は、コンテンツサーバから配信された検索結果情報を受信した場合、当該検索結果情報内にある書籍コンテンツのサンプル画像データに基づき、先頭頁の画像をサムネイル表示したサムネイル画面を表示し、このサムネイル画面上の書籍コンテンツのサンプル画像に対してユーザが頁捲り動作の指示を行った場合、サムネイル画面上で、当該指示の行われた書籍コンテンツのサンプル画像を１頁毎に頁捲り動作させる。
このため、検索の結果として得られたコンテンツを表示した検索結果画面であるサムネイル画面から移動することなしに、この画面上でサンプル画像の頁が捲られて書籍内容が閲覧可能となり、コンテンツに関するより詳細な情報を得ることができる。
【図面の簡単な説明】
【００１３】
【図１】本発明の書籍コンテンツ配信システムを示すシステム構成図である。
【図２】電子コンテンツ管理サーバの構成を示すブロック図である。
【図３】電子コンテンツ管理サーバのデータベースの構成を説明するための概念図である。
【図４】第１実施形態のユーザ端末の構成を示すブロック図である。
【図５】検索結果画面を示す一例である。
【図６Ａ】検索結果画面における頁捲り動作を説明するための図である。
【図６Ｂ】検索結果画面における頁捲り動作を説明するための図である。
【図６Ｃ】検索結果画面における頁捲り動作を説明するための図である。
【図７】検索結果画面上に表示される拡大画面を示す一例である。
【図８Ａ】拡大画面における頁捲り動作を説明するための図である。
【図８Ｂ】拡大画面における頁捲り動作を説明するための図である。
【図９】購入サイト画面を示す一例である。
【図１０】検索結果画面にチェックボックスの表示された状態を示す一例である。
【図１１】一括再生画面を示す一例である。
【図１２】第１実施形態の書籍コンテンツ配信システムの動作を示すフローチャートである。
【図１３】第１実施形態の書籍コンテンツ配信システムの動作を示すフローチャートである。
【図１４】第２実施形態のユーザ端末の構成を示すブロック図である。
【図１５】検索結果画面を示す一例である。
【図１６】拡大画面を示す一例である。
【図１７】拡大画面における頁捲り動作を説明するための図である。
【図１８Ａ】付帯コンテンツの頁捲り動作を説明するための図である。
【図１８Ｂ】付帯コンテンツの頁捲り動作を説明するための図である。
【図１９】第２実施形態の書籍コンテンツ配信システムの動作を示すフローチャートである。
【図２０】第２実施形態の書籍コンテンツ配信システムの動作を示すフローチャートである。
【発明を実施するための形態】
【００１４】
以下、図を参照して、本発明の実施の形態を詳細に説明する。ただし、発明の範囲は、図示例に限定されない。
【００１５】
＜第１実施形態＞
図１に示すように、書籍コンテンツ配信システム１００は、コンテンツサーバ１０と、ユーザ端末２０と、を備えて構成されている。
【００１６】
（コンテンツサーバ）
コンテンツサーバ１０は、電子コンテンツ配信事業者であるサービスプロバイダ（図示省略）などにより管理・運営されている。
サービスプロバイダとは、作家や出版社から書籍コンテンツの提供を受けてユーザに情報提供するものである。
具体的には、サービスプロバイダは、作家又は出版社から提供された書籍内容をデジタル化した書籍コンテンツをユーザに配信する機能を有し、更に、書籍の検索サイト（ホームページ）の運営機能等を有するものである。
即ち、このようなサービスプロバイダの機能を奏させるために、サービスプロバイダには、コンテンツを保存し検索用として機能するコンテンツサーバ１０等が備えられている。
【００１７】
なお、書籍コンテンツとは、小説、新聞又は雑誌を含めた書籍内容をデジタルデータ化したものであり、例えば、テキスト、もしくはテキストに組版情報を付加したデータ形式で作成された電子コンテンツである。
また、書籍コンテンツには、例えば、当該書籍コンテンツに関連するレビューやオピニオンなどのコメント文、当該書籍コンテンツのランクといった二次コンテンツを付帯することができる。
【００１８】
コンテンツサーバ１０は、図２に示すように、ＣＰＵ（Central Processing Unit）１１、ＲＡＭ（Random Access Memory）１２、ＲＯＭ(Read Only Memory)１３、通信部１４、データベース３０などを備え、図示しない通信インターフェースにより、通信ネットワークＮに接続されている。
【００１９】
ここで、データベース３０の構成について説明する。
データベース３０には、図２、３に示すように、書籍コンテンツ情報３１、レコメンド情報３２、連絡用情報３３、スクラップブック情報３４、等が格納されている。
【００２０】
書籍コンテンツ情報３１とは、ユーザ端末２０に配信される書籍コンテンツに関する情報である。
書籍コンテンツ情報３１は、本ＩＤ、書籍名、著者名、紹介文、出版日、出版社、価格、広告フラグ、サンプル箇所指定、コンテンツ画像データ、検索用キーワード、登録日、タグ１、タグ２、タグ３などを備えて構成されている。
なお、書籍コンテンツ情報３１は、書籍コンテンツの検索を行うための検索用データベースとして機能している。
【００２１】
レコメンド情報３２は、書籍コンテンツに付帯される二次コンテンツに関する情報を、書籍コンテンツ情報３１に紐付けるものである。
レコメンド情報３２は、レコメンドＩＤ、本ＩＤ、コメント文、ランク、登録日などを備えて構成されており、本ＩＤを介して書籍コンテンツ情報３１と対応付けられている。
【００２２】
連絡用情報３３は、シリアル、本ＩＤ、スクラップＩＤなどを備えて構成されている。
また、連絡用情報３３は、本ＩＤを介して書籍コンテンツ情報３１と対応付けられ、スクラップＩＤを介してスクラップブック情報３４と対応付けられている。
【００２３】
スクラップブック情報３４は、スクラップＩＤ、ＵＲＬ、格納場所、生成者ＩＰ、キャリア、ユーザエージェント、登録日などを備えて構成されている。
【００２４】
ＣＰＵ１１は、例えば、ＲＯＭ１３に記憶されている各種処理プログラムに従って、各種の制御処理を行う。
【００２５】
ＲＡＭ１２は、ＣＰＵ１１により演算処理されたデータを格納するワークメモリエリアを形成している。
【００２６】
ＲＯＭ１３は、例えば、ＣＰＵ１１によって実行可能なシステムプログラムや、そのシステムプログラムで実行可能な各種処理プログラム、これら各種処理プログラムを実行する際に使用されるデータ、ＣＰＵ１１によって演算処理された各種処理結果のデータなどを記憶する。なお、プログラムは、コンピュータが読み取り可能なプログラムコードの形でＲＯＭ１３に記憶されている。
【００２７】
具体的に、ＲＯＭ１３には、例えば、検索プログラム１３１、サンプル画像データ作成プログラム１３２、スクラップブック作成プログラム１３３、等が格納されている。
【００２８】
検索プログラム１３１は、例えば、ユーザ端末２０から送信された書籍コンテンツの検索要求に応じて、書籍コンテンツ情報３１から検索要求に合致する書籍コンテンツを検索する機能を、ＣＰＵ１１に実行させるプログラムである。
具体的に、ＣＰＵ１１は、ユーザ端末２０から、特定のキーワードに合った書籍コンテンツの検索を要求する検索要求が送信された場合、書籍コンテンツ情報３１の検索用キーワードを参照し、指定されたキーワードと検索用キーワードが合致する本ＩＤを検索する。そして、検索用キーワードが合致した本ＩＤを有する書籍コンテンツを、検索要求に合致する書籍コンテンツと判別する。
ＣＰＵ１１は、かかる検索プログラム１３１を実行することによって、検索手段として機能している。
【００２９】
サンプル画像データ作成プログラム１３２は、例えば、検索プログラム１３１の実行により検索された書籍コンテンツについて、複数頁からなるサンプル画像データを作成する機能を、ＣＰＵ１１に実行させるプログラムである。
具体的に、ＣＰＵ１１は、サンプル画像データ作成プログラム１３２を実行し、検索要求に合致した書籍コンテンツ毎に、書籍コンテンツ情報３１のコンテンツ画像データから、サンプル箇所指定された部分の画像を抽出したサンプル画像データを作成する。
このサンプル画像データは、１つの書籍コンテンツが有するコンテンツ画像データから、サンプル箇所指定された任意の部分の画像のみが抽出された、複数頁からなる画像のデータである。
ここで、サンプル箇所指定は、例えば、サービスプロバイダ等により行われ、このサービスプロバイダ等は、ユーザ端末２０のサムネイル画面Ｇ１（後述）上で表示させたいと考える任意の部分を選択的に指定することができる。
このようなサンプル画像データに基づき、ユーザ端末２０のサムネイル画面Ｇ１では、文字情報や１頁の静止画ではなく、１頁毎に頁が捲られる動作を行う複数頁からなるサンプル画像が表示されることとなる。
【００３０】
また、ＣＰＵ１１は、サンプル画像データ作成プログラム１３２の実行により、検索された書籍コンテンツに関連する二次コンテンツを、付帯情報としてサンプル画像データに付帯させる。
具体的に、ＣＰＵ１１は、レコメンド情報３２の本ＩＤを参照して、検索要求に合致した書籍コンテンツに関する二次コンテンツがあった場合、レコメンド情報３２に基づき、付帯情報をサンプル画像データに付帯させる。
この付帯情報に基づき、ユーザ端末２０のサムネイル画面Ｇ１では、二次コンテンツの画像も表示されることとなる。
【００３１】
ＣＰＵ１１は、かかるサンプル画像データ作成プログラム１３２を実行することにより、サンプル画像データ作成手段として機能している。
【００３２】
スクラップブック作成プログラム１３３は、例えば、ユーザ端末２０から送信された、複数の書籍コンテンツのサンプル画像を連続して一括再生するためのスクラップブックを作成するスクラップブック作成要求に応じて、当該複数の書籍コンテンツのスクラップブックを作成する機能を、ＣＰＵ１１に実行させるプログラムである。
具体的に、ユーザ端末２０から、上記スクラップブック作成要求が送信された場合、ＣＰＵ１１は、スクラップブック作成要求により指定されている複数の書籍コンテンツの各々についてサンプル画像データを作成し、作成したサンプル画像データを１つのスクラップブックとして、１つのスクラップブックＩＤを付与し、スクラップブック情報３４に作成したスクラップブックの情報を保存する。
このようなスクラップブックのデータに基づき、ユーザ端末２０の一括再生画面Ｇ４（後述）では、複数の書籍コンテンツのサンプル画像が連続的に頁が捲られる動作を行うスクラップブックが表示されることとなる。
なお、作成したスクラップブックをデータベースに保存し、ＵＲＬを付加することで不特定多数のユーザで共有することも可能である。このとき付加されたＵＲＬは、スクラップブック情報３４に保存される。
また、作成したスクラップブックを、任意の電子端末で閲覧できるように、エンコード処理を行って電子書籍化することも可能である。なお、生成された電子書籍は、データベースに保存される。
ＣＰＵ１１は、かかるスクラップブック作成プログラム１３３を実行することにより、スクラップブック作成手段として機能している。
【００３３】
通信部１４は、検索結果情報配信手段として、サンプル画像データ作成プログラム１３２の実行により作成されたサンプル画像データを含む検索結果情報を、ユーザ端末２０に配信する。
また、通信部１４は、スクラップブック配信手段として、スクラップブック作成プログラム１３３の実行により作成された書籍コンテンツのスクラップブックを、ユーザ端末２０に配信する。
【００３４】
（ユーザ端末）
ユーザ端末２０は、コンテンツサーバ１０から取得した書籍コンテンツを再生して閲覧（読書）を行うことができる装置である。ユーザは、ユーザ端末２０を用いて、電子コンテンツ配信事業者が管理・運営するコンテンツサーバ１０にアクセスすることで、所望の書籍コンテンツを入手できる。
なお、本実施形態においては、ユーザ端末２０として、パーソナルコンピュータを例示して説明する。
【００３５】
具体的に、ユーザ端末２０は、例えば、図４に示すように、操作部２１と、表示部２２と、計時部２３と、通信部２４と、ＣＰＵ２５と、ＲＡＭ２６と、ＲＯＭ２７と、等を備えて構成される。
【００３６】
操作部２１は、例えば、カーソルキー、数字入力キー及び各種機能キーなどを備えたキーボード等で構成され、ユーザ操作に伴う信号をＣＰＵ２５に出力する。
例えば、操作部２１は、サムネイル画面Ｇ１上にサムネイル表示された書籍コンテンツのサンプル画像に対して、ユーザが頁捲り動作の指示を行う場合に操作される。
また、操作部２１は、サムネイル画面Ｇ１上にサムネイル表示された書籍コンテンツのサンプル画像に対して、ユーザが画像を拡大させる指示を行う場合に操作される。
その他、操作部２１は、任意のキーワードによる検索の実行操作を行う場合や、スクラップブック（後述）を形成する複数の書籍コンテンツを選択する選択操作を行う場合などに操作される。
【００３７】
表示部２２は、ＬＣＤ（Liquid Crystal Display）等で構成され、例えば、サムネイル画面Ｇ１、サムネイル画面Ｇ１上に別ウィンドウで表示される拡大画面Ｇ２、購入サイト画面Ｇ３、一括再生画面Ｇ４などの各種画面を表示する。
【００３８】
サムネイル画面Ｇ１は、検索結果画面として、検索要求に応じてコンテンツサーバ１０から配信された書籍コンテンツの先頭頁の画像をサムネイル表示させた画面である。
具体的に、サムネイル画面Ｇ１には、図５に示すように、例えば、最大２０個の書籍コンテンツのサムネイル画像を表示可能な枠が設けられており、コンテンツサーバ１０から配信された書籍コンテンツのサンプル画像の先頭頁（表紙頁）が各枠内にサムネイル表示される。なお、配信された書籍コンテンツの数が２０個に満たない場合には、残りの部分に枠のみが表示される一方、全書籍コンテンツの数が２０個より多い場合には、サムネイル画面Ｇ１は複数の画面にわたって切替表示される。
図５は、５つの書籍コンテンツのサンプル画像Ｐ１〜Ｐ５が、サムネイル表示された例である。
【００３９】
サムネイル画面Ｇ１において、各サムネイル画像は、その右上端部が、風に吹かれたように常時ペラペラと捲られたような動作をしており、これによってユーザは頁捲り動作の指示が可能な画像であることを認知することができる。そして、このような画像に対して、ユーザが頁捲り動作の指示としてポインタでドラッグ操作をすると（図６Ａ参照）、徐々にサムネイル画像の先頭頁（表紙頁）が捲れて（図６Ｂ参照）、書籍内容の記載された２頁目が現れる（図６Ｃ参照）。
【００４０】
なお、本実施形態においては、表示部２２にサムネイル画面Ｇ１が表示されてから、予め設定された所定時間経過するまでの間にユーザによる頁捲り動作の指示がない場合には、予め設定された条件に基づいて、図６Ａ〜図６Ｃに示したような頁捲り動作が自動で行われる。
ここで、「予め設定された条件」とは、どのような順序で、どういった速度で、どの画像の頁捲り動作が行われるか、などを規定する条件であり、事前にユーザにより設定される。
具体的には、例えば、最上列から順に、左側のサムネイル画像から右側のサムネイル画像に向かって一定の速度で順次頁捲り動作を行う、或いはサムネイル画面Ｇ１上の全てのサムネイル画像が一斉に一定の速度で頁捲り動作を行う等の設定を行うことが可能である。
【００４１】
また、各サムネイル画像には、それぞれ、画像を拡大する指示を受け付ける拡大ボタンＢ１と、購入サイトに移行する指示を受け付ける購入サイト移行ボタンＢ２が備えられている。
【００４２】
拡大ボタンＢ１が操作された場合、図７に示すように、サムネイル画面Ｇ１上に別ウィンドウで拡大画面Ｇ２が表示される。拡大画面Ｇ２には、拡大ボタンＢ１の操作のなされたサムネイル画像が拡大表示されている。
図７は、画像Ｐ１の拡大ボタンＢ１を操作し、拡大画面Ｇ２に画像Ｐ１が拡大表示された例である。
拡大画面Ｇ２に拡大表示された画像も、ユーザ操作に応じて頁捲りされ（図８Ａ参照）、次頁を表示させることができる（図８Ｂ参照）。
また、拡大画面Ｇ２が表示されてから、予め設定された所定時間経過するまでの間にユーザによる頁捲り動作の指示がない場合には、予め設定された条件に基づいて、図８Ａ、図８Ｂに示したような頁捲り動作が自動で行われる。
【００４３】
また、購入サイト移行ボタンＢ２が操作された場合、サムネイル画面Ｇ１は、図９に示すような、リンク先の購入サイト画面Ｇ３に切り替わる。購入サイト画面Ｇ３には、購入サイト移行ボタンＢ２の操作のなされたサムネイル画像の書籍コンテンツに関して、タイトル、著者名、解説などの詳細情報が記載されており、ユーザは、購入サイト画面Ｇ３により書籍内容の検討を行って書籍の購入を実行することができるようになっている。
【００４４】
また、サムネイル画面Ｇ１において、チェックボックス表示ボタン（図示省略）を操作することで、図１０に示すように、各サムネイル画像ごとにチェックボックスＢ３を表示させることが可能である。
このチェックボックスＢ３は、ユーザが一括で連続再生させたい書籍コンテンツを選択する場合に操作される。
具体的には、ユーザが、所望のサムネイル画像のチェックボックスＢ３にチェックを入れて実行ボタン（図示省略）を操作すると、サムネイル画面Ｇ１は、例えば、図１１に示すような、一括再生画面Ｇ４に切り替わる。
【００４５】
一括再生画面Ｇ４には、再生領域Ａ１、サンプル表示領域Ａ２、電子書籍化ボタンＢ４、共有ボタンＢ５などが備えられている。
再生領域Ａ１では、選択したサムネイル画像の書籍コンテンツのサンプル画像が連続して頁捲り動作を行い、ユーザは、複数の書籍コンテンツの内容を一度に閲覧することができる。
サンプル表示領域Ａ２には、選択したサムネイル画像が表示されており、ユーザはどういった書籍コンテンツを選択したか一目で確認することができる。
電子書籍化ボタンＢ４は、選択したサムネイル画像の書籍コンテンツを、まとめて電子書籍化するボタンである。
共有ボタンＢ５は、選択したサムネイル画像の書籍コンテンツを、他のユーザと共有にするためのボタンである。
【００４６】
計時部２３は、ＣＰＵ１１からの制御信号に基づいて、表示部２２にサムネイル画面Ｇ１が表示された時点又は拡大画面Ｇ２が表示された時点を計時開始時点とし、ユーザにより頁捲り動作の指示が行われた時点又は予め設定された所定時間が経過した時点を終点として計時を行うタイマである。
【００４７】
通信部２４は、例えば、コンテンツサーバ１０に対して、書籍コンテンツの検索要求を送信すると共に、当該検索要求に応じてコンテンツサーバ１０より配信された検索結果情報を受信する。
また、通信部２４は、例えば、コンテンツサーバ１０に対して、複数の書籍コンテンツのスクラップブック作成要求を送信すると共に、当該スクラップブック作成要求に応じてコンテンツサーバ１０より配信されたスクラップブックを受信する。
【００４８】
ＣＰＵ２５は、例えば、ＲＯＭ２７に記憶されている各種処理プログラムに従って、各種の制御処理を行う。
具体的に、ＣＰＵ２５は、ＲＯＭ２７に格納された電子書籍ビューワ等のアプリケーションプログラムを必要に応じて読み出し、ＲＡＭ２６に展開して実行することにより、例えば、操作部２１への操作に応答して表示部２２の表示を切り替える。
【００４９】
ＲＡＭ２６は、ＣＰＵ２５により演算処理されたデータを格納するワークメモリエリアを形成している。
【００５０】
ＲＯＭ２７は、例えば、ＣＰＵ２５によって実行可能なシステムプログラムや、そのシステムプログラムで実行可能な各種処理プログラム、これら各種処理プログラムを実行する際に使用されるデータ、ＣＰＵ１１によって演算処理された各種処理結果のデータなどを記憶する。なお、プログラムは、コンピュータが読み取り可能なプログラムコードの形でＲＯＭ１３に記憶されている。
【００５１】
具体的に、ＲＯＭ１３には、例えば、表示プログラム２７１、拡大表示プログラム２７２、画像制御プログラム２７３、判断プログラム２７４、第２画像制御プログラム２７５、スクラップブック再生プログラム２７６等が格納されている。
【００５２】
表示プログラム２７１は、例えば、検索要求に応じてコンテンツサーバ１０から配信された検索結果情報を受信した場合、当該検索結果情報内にある書籍コンテンツのサンプル画像データに基づき、先頭頁の画像をサムネイル表示したサムネイル画面Ｇ１を表示する機能を、ＣＰＵ２５に実現させプログラムである。
具体的に、コンテンツサーバ１０から配信された検索結果情報を受信すると、ＣＰＵ２５は、表示プログラム２７１を実行し、検索結果画面として、サムネイル画面Ｇ１を表示部２２に表示させる（図５参照）。
なお、このとき、ＣＰＵ２５は、受信した検索結果情報内のサンプル画像データに付帯情報が付帯されている場合には、この付帯情報に基づいて二次コンテンツの画像も表示する。
ＣＰＵ２５は、かかる表示プログラム２７１を実行することにより、表示部２２と共に表示手段として機能する。
【００５３】
拡大表示プログラム２７２は、例えば、サムネイル画面Ｇ１上にサムネイル表示された書籍コンテンツのサンプル画像に対して、ユーザがサンプル画像を拡大させる指示を行った場合、当該指示の行われた書籍コンテンツのサンプル画像を拡大表示した拡大画面Ｇ２を表示する機能を、ＣＰＵ２５に実現させプログラムである。
具体的には、サムネイル画面Ｇ１上の各サムネイル画像に備えられた拡大ボタンＢ１に対してユーザが操作を行うと、ＣＰＵ２５は、拡大表示プログラム２７２を実行し、サムネイル画面Ｇ１に重なるように拡大画面Ｇ２を表示する（図７参照）。
このとき、ＣＰＵ２５は、コンテンツサーバ１０と通信を行って、データベース３０の書籍コンテンツ情報３１に、拡大用の大サイズ画像やその他の詳細情報などの未取得の頁情報があれば追加取得するようになっている。
ＣＰＵ２５は、かかる拡大表示プログラム２７２を実行することによって、表示部２２と共に拡大表示手段として機能している。
【００５４】
画像制御プログラム２７３は、例えば、サムネイル画面Ｇ１上にサムネイル表示された書籍コンテンツのサンプル画像、又は拡大画面Ｇ２上に拡大表示された書籍コンテンツのサンプル画像に対して、ユーザが頁捲り動作の指示を行った場合、サムネイル画面Ｇ１又は拡大画面Ｇ２上で、当該指示の行われた書籍コンテンツのサンプル画像を１頁毎に頁捲り動作させる機能を、ＣＰＵ２５に実現させプログラムである。
具体的には、サムネイル画面Ｇ１におけるサムネイル画像の何れかに対してユーザが頁捲り動作の指示を行うと、ＣＰＵ２５は、画像制御プログラム２７３を実行し、かかる頁捲り動作の指示に合せて、サムネイル画面Ｇ１上で、当該指示の行われた書籍コンテンツの画像を捲って次頁を表示する（図６Ａ〜図６Ｃ参照）。
また、拡大画面Ｇ２における拡大画像に対してユーザが頁捲り動作の指示を行うと、ＣＰＵ２５は、画像制御プログラム２７３を実行し、かかる頁捲り動作の指示に合せて、拡大画面Ｇ２上で、拡大画像を捲って次頁を表示する（図８Ａ、図８Ｂ参照）。
なお、ＣＰＵ２５は、画像制御プログラム２７３の実行により、二次コンテンツの画像に対して頁捲り動作の指示が行われた場合にも、サムネイル画面Ｇ１や拡大画面Ｇ２上で、当該指示の行われた二次コンテンツの画像を頁捲り動作させる。
このとき、ＣＰＵ２５は、コンテンツサーバ１０と通信を行って、データベース３０の書籍コンテンツ情報３１やレコメンド情報３２から未取得の頁情報を取得するようになっている。
ＣＰＵ２５は、かかる画像制御プログラム２７３を実行することにより、画像制御手段として機能する。
【００５５】
判断プログラム２７４は、例えば、サムネイル画面Ｇ１又は拡大画面Ｇ２が表示されてから、予め設定された所定時間以内に頁捲り動作の指示があるか否か判断する機能を、ＣＰＵ２５に実現させプログラムである。
具体的には、ＣＰＵ２５は、表示部２２にサムネイル画面Ｇ１が表示された時点を計時開始時点として計時部２３により計時を開始し、頁捲り動作の指示が行われない限り計時を続行する。そして、頁捲り動作の指示が行われないうちに予め設定された所定時間内に達した場合、頁捲り動作を自動で実行する指示信号を出力する。
また、ＣＰＵ２５は、表示部２２に拡大画面Ｇ２が表示された時点を計時開始時点として計時部２３により計時を開始し、頁捲り動作の指示が行われない限り計時を続行する。そして、頁捲り動作の指示が行われないうちに予め設定された所定時間内に達した場合、頁捲り動作を自動で実行する指示信号を出力する。
ＣＰＵ２５は、かかる判断プログラム２７４を実行することによって、判断手段として機能している。
【００５６】
第２画像制御プログラム２７５は、例えば、判断プログラム２７４の実行により頁捲り動作の指示がないと判断された場合、サムネイル画面Ｇ１又は拡大画面Ｇ２上で、予め設定された条件に基づいて書籍コンテンツのサンプル画像を１頁毎に頁捲り動作させる機能を、ＣＰＵ２５に実現させプログラムである。
具体的には、ＣＰＵ２５は、頁捲り動作を自動で実行する指示信号に応じて、サムネイル画面Ｇ１上で、予め設定された条件に基づいて、書籍コンテンツの画像の頁捲り動作を実行する（図６Ａ〜図６Ｃ参照）。
同様に、ＣＰＵ２５は、頁捲り動作を自動で実行する指示信号に応じて、拡大画面Ｇ２上で、予め設定された条件に基づいて、書籍コンテンツの画像の頁捲り動作を実行する（図８Ａ、図８Ｂ参照）。
ＣＰＵ２５は、かかる第２画像制御プログラム２７５を実行することによって、第２画像制御手段として機能している。
【００５７】
スクラップブック再生プログラム２７６は、例えば、スクラップブック作成要求に応じてコンテンツサーバ１０から配信されたスクラップブックを受信した場合、スクラップブックを再生する機能を、ＣＰＵ２５に実現させプログラムである。
このとき、先ず、ユーザは、サムネイル画面Ｇ１のチェックボックスＢ３を用いて、一括再生したい書籍コンテンツのサムネイル画像を選択し（図１０参照）、スクラップブック作成要求をコンテンツサーバ１０に送信する。
次に、ＣＰＵ２５は、これに応じてコンテンツサーバ１０より作成・配信されたスクラップブックを受信し、スクラップブック再生プログラム２７６を実行して、表示部２２に一括再生画面Ｇ４を表示させてスクラップブックの再生を行う（図１１参照）。
これにより、サムネイル画面Ｇ１のチェックボックスＢ３を用いて選択した書籍コンテンツのサンプル画像が、連続再生される。
ＣＰＵ２５は、かかるスクラップブック再生プログラム２７６を実行することによって、スクラップブック再生手段として機能している。
【００５８】
次に、図１２、１３を用いて、書籍コンテンツの検索時の本システム１００の動作を、説明する。
【００５９】
先ず、ステップＳ１０１において、ユーザ端末２０のＣＰＵ２５は、操作部２１により検索の実行操作が行われたか否かを判断し、当該操作が無い場合（ステップＳ１０１：ＮＯ）、このステップＳ１０１の処理を繰り返す一方、当該操作が行われた場合（ステップＳ１０１：ＹＥＳ）、続くステップＳ１０２において、検索要求をコンテンツサーバ１０に送信する。
次いで、ステップＳ１０３において、コンテンツサーバ１０のＣＰＵ１１は、データベース３０の書籍コンテンツ情報３１を用いて書籍コンテンツの検索を行い、検索された書籍コンテンツについてサンプル画像データを作成する。
次いで、ステップＳ１０４において、コンテンツサーバ１０のＣＰＵ１１は、サンプル画像データを含む検索結果情報をユーザ端末２０に配信する。
【００６０】
次いで、ステップＳ１０５において、ユーザ端末２０のＣＰＵ２５は、表示部２２にサムネイル画面Ｇ１を表示する。
次いで、ステップＳ１０６において、ユーザ端末２０のＣＰＵ２５は、一括再生したい書籍コンテンツの画像の選択操作が有るか否かを判断し、当該選択操作が有った場合（ステップＳ１０６：ＹＥＳ）、後述のステップＳ１１２に移行する。
一方、選択操作が無い場合（ステップＳ１０６：ＮＯ）、続くステップＳ１０７において、ユーザ端末２０のＣＰＵ２５は、操作部２１により画像を拡大させる指示が行われたか否かを判断し、当該指示が無い場合（ステップＳ１０７：ＮＯ）、後述のステップＳ１０９に移行する。
一方、指示が有った場合（ステップＳ１０７：ＹＥＳ）、続くステップＳ１０８において、ユーザ端末２０のＣＰＵ２５は、サムネイル画面Ｇ１上に拡大画面Ｇ２を表示させる。
次いで、ステップＳ１０９において、ユーザ端末２０のＣＰＵ２５は、操作部２１により頁捲り動作の指示が有るか否かを判断し、当該指示が有った場合（ステップＳ１０９：ＹＥＳ）、後述のステップＳ１１１に移行する。
一方、当該指示が無い場合（ステップＳ１０９：ＮＯ）、続くステップＳ１１０において、ユーザ端末２０のＣＰＵ２５は、所定時間が経過したか否かを判断し、所定時間が経過していないと判断した場合（ステップＳ１１０：ＮＯ）、前記したステップＳ１０６に戻って以降の処理を繰り返す。
一方、所定時間が経過したと判断した場合（ステップＳ１１０：ＹＥＳ）、ユーザ端末２０のＣＰＵ２５は、続くステップＳ１１１に移行する。
次いで、ステップＳ１１１において、ユーザ端末２０のＣＰＵ２５は、画像の頁捲り動作を実行する。
【００６１】
また、上記ステップＳ１０６において、選択操作が有った場合（ステップＳ１０６：ＹＥＳ）、続くステップＳ１１２において、ユーザ端末２０のＣＰＵ２５は、スクラップブック作成要求をコンテンツサーバ１０に送信する。
次いで、ステップＳ１１３において、コンテンツサーバ１０のＣＰＵ１１は、スクラップブックのデータを作成する。
次いで、ステップＳ１１４において、コンテンツサーバ１０のＣＰＵ１１は、作成したスクラップブックをユーザ端末２０に配信する。
次いで、ステップＳ１１５において、ユーザ端末２０のＣＰＵ２５は、スクラップブックの再生を行う。
【００６２】
以上のように、本実施形態によれば、コンテンツサーバ１０は、ユーザ端末２０から送信された書籍コンテンツの検索要求に応じて、書籍コンテンツ情報３１から検索要求に合致する書籍コンテンツを検索し、検索された書籍コンテンツについて、複数頁からなるサンプル画像データを作成して、このサンプル画像データを含む検索結果情報を、ユーザ端末２０に配信する。
また、ユーザ端末２０は、コンテンツサーバ１０から配信された検索結果情報を受信した場合、当該検索結果情報内にある書籍コンテンツのサンプル画像データに基づき、先頭頁の画像をサムネイル表示したサムネイル画面Ｇ１を表示し、このサムネイル画面Ｇ１の書籍コンテンツのサンプル画像に対して、ユーザが頁捲り動作の指示を行った場合、サムネイル画面Ｇ１上で、当該指示の行われた書籍コンテンツのサンプル画像を１頁毎に頁捲り動作させる。
このため、検索の結果として得られたコンテンツを表示した検索結果画面であるサムネイル画面Ｇ１から移動することなしに、この画面上でサンプル画像の頁が捲られて書籍内容が閲覧可能となり、書籍コンテンツに関するより詳細な情報を得ることができる。
【００６３】
また、本実施形態によれば、ユーザ端末２０は、サムネイル画面Ｇ１上にサムネイル表示された書籍コンテンツのサンプル画像に対して、ユーザがサンプル画像を拡大させる指示を行った場合、当該指示の行われた書籍コンテンツのサンプル画像を拡大表示した拡大画面Ｇ２を表示させ、この拡大画面Ｇ２上に拡大表示された書籍コンテンツのサンプル画像に対して、ユーザが頁捲り動作の指示を行った場合、拡大画面Ｇ２上で、当該指示の行われた書籍コンテンツのサンプル画像を１頁毎に頁捲り動作させる。
このため、所望の画像を拡大して書籍内容を閲覧できることとなるため、ユーザは、より書籍内容の検討が容易になる。
【００６４】
また、本実施形態によれば、ユーザ端末２０は、サムネイル画面Ｇ１又は拡大画面Ｇ２が表示されてから、予め設定された所定時間以内に頁捲り動作の指示があるか否か判断し、頁捲り動作の指示がないと判断された場合、サムネイル画面Ｇ１又は拡大画面Ｇ２上で、予め設定された条件に基づいて書籍コンテンツのサンプル画像を１頁毎に頁捲り動作させる。
このため、ユーザが操作をしなくてもサムネイル画面Ｇ１上の画像が頁捲り動作するため、サムネイル画面Ｇ１の視覚効果が高く、ユーザの購買意欲を向上させることができる。
【００６５】
また、本実施形態によれば、コンテンツサーバ１０は、書籍コンテンツに関連する二次コンテンツを、付帯情報としてサンプル画像データに付帯させ、ユーザ端末２０は、付帯情報に基づく二次コンテンツの画像に対して頁捲り動作の指示が行われた場合、サムネイル画面Ｇ１又は拡大画面Ｇ２上で、当該指示の行われた二次コンテンツの画像を１頁毎に頁捲り動作させる。
このため、サムネイル画面Ｇ１又は拡大画面Ｇ２から移動することなしに、二次コンテンツの画像の頁が捲られてその内容が閲覧可能となるので、ユーザは、各書籍コンテンツに関するより詳細な情報を得ることができる。
【００６６】
また、本実施形態によれば、コンテンツサーバ１０は、ユーザ端末２０から送信された、複数の書籍コンテンツのサンプル画像を連続して一括再生するためのスクラップブックを作成するスクラップブック作成要求に応じて、当該複数の書籍コンテンツのスクラップブックを作成してユーザ端末２０に配信し、ユーザ端末２０は、コンテンツサーバ１０から配信されたスクラップブックを受信した場合、スクラップブックを再生する。
このため、ユーザは、所望の複数の書籍コンテンツの内容を一度に閲覧することができき、ユーザの操作性を向上させることができる。
【００６７】
なお、上記実施形態においては、表示部２２の略全面に亘ってサムネイル画面Ｇ１又は拡大画面Ｇ２が表示される場合を例示して説明したが、表示部２２の一部に表示させることも可能である。
このようにして、本システム１００は、例えば、ブログパーツや、リスティング・ｗｅｂコンテンツ連動型広告として利用することができる。
【００６８】
＜第２実施形態＞
次に、本発明の第２実施形態について、第１実施形態と異なる点を中心に説明する。
なお、第１実施形態と同様の構成については、第１実施形態と同一の符号を付して、その説明は省略する。
【００６９】
第２実施形態の書籍コンテンツ配信システム（図示省略）は、コンテンツサーバ１０と、ユーザ端末２０Ａと、を備えている。
ユーザ端末２０Ａは、例えば、携帯電話などの小型情報端末装置により構成されている。
このようなユーザ端末２０Ａは、表示部２２Ａがユーザ端末２０のものと比較して小さいため、サムネイル画面から頁捲り動作を行うのは使い勝手が良好でない。本実施形態は、このようなユーザ端末２０Ａに対応した制御として、サムネイル画像の一部を拡大させ、この画面上で頁捲り動作を行うものである。
【００７０】
具体的に、ユーザ端末２０Ａは、例えば、図１４に示すように、操作部２１Ａと、表示部２２Ａと、計時部２３Ａと、通信部２４と、ＣＰＵ２５Ａと、ＲＡＭ２６Ａと、ＲＯＭ２７Ａと、等を備えて構成される。
【００７１】
操作部２１Ａは、表示部２２Ａ上に配置されるタッチパネルであり、例えば、マルチタッチと呼ばれる全面タッチパネルが採用されている。
【００７２】
表示部２２Ａは、表示部２２と同様にＬＣＤ等で構成され、例えば、サムネイル画面Ｇ５、サムネイル画面Ｇ５から切り替わり表示される拡大画面Ｇ６などの各種画面を表示する。
【００７３】
サムネイル画面Ｇ５は、検索要求に応じてコンテンツサーバ１０から配信された書籍コンテンツの先頭頁のサンプル画像をサムネイル表示させた画面である。
具体的に、サムネイル画面Ｇ５には、図１５に示すように、例えば、最大２０個の書籍コンテンツのサムネイル画像を表示可能な枠が設けられており、コンテンツサーバ１０から配信された書籍コンテンツのサンプル画像の先頭頁（表紙頁）が各枠内にサムネイル表示される。配信された書籍コンテンツのサンプル画像の数が２０個に満たない場合には、残りの部分に枠のみが表示される一方、全書籍コンテンツの数が２０個より多い場合には、サムネイル画面Ｇ５は複数の画面にわたって切替表示される。
なお、図１５は、５つの書籍コンテンツの画像Ｐ６〜Ｐ１０が、サムネイル表示された例である。
そして、サムネイル画面Ｇ５に表示されたサムネイル画像をユーザが指でタップして選択すると、サムネイル画面Ｇ５は、拡大画面Ｇ６に切り替わる。
【００７４】
この拡大画面Ｇ６は、図１６に示すように、指でタップされると画面上下に付加的な操作メニューＢ６、Ｂ７が表示され、再度タップされると、この操作メニューＢ６、Ｂ７が非表示となる。
また、拡大画面Ｇ６の左右端部には、拡大画面Ｇ６に表示された画像を前頁及び後頁に移行させる頁送りボタンＢ８、Ｂ９が表示されており、この頁送りボタンＢ８、Ｂ９を操作することで頁を前後に送ることができる。
図１６は、画像Ｐ６を拡大表示させた拡大画面Ｇ６をタップして、拡大画面Ｇ６上に操作メニューＢ６、Ｂ７と頁送りボタンＢ８、Ｂ９とを表示させ、頁送りボタンＢ９を操作して、画像Ｐ６から画像Ｐ７に頁送りした状態を示す例である。
【００７５】
また、操作メニューＢ６を操作すると、図１７に示すように、拡大画面Ｇ６に表示された画像の右上端が捲れた画像となる。このような画像に対して、ユーザが頁捲り動作の指示として指でドラッグ操作をすると、徐々に次頁が現れる。
図１７は、画像の先頭頁（表紙頁）が捲れて、書籍内容の記載された２頁目が現れた例である。
【００７６】
また、拡大画面Ｇ６に付帯コンテンツの画像が表示されている場合（図１８Ａ参照）、付帯コンテンツの画像に対して頁捲り動作の指示を行うと、サムネイル画面Ｇ５上で、当該指示の行われた帯コンテンツの画像も１頁毎に頁捲り動作させることができる（図１８Ｂ参照）。
【００７７】
計時部２３Ａは、ＣＰＵ１１Ａからの制御信号に基づいて、表示部２２Ａに拡大画面Ｇ６が表示された時点を計時開始時点とし、ユーザにより頁捲り動作の指示が行われた時点又は予め設定された所定時間が経過した時点を終点として計時を行うタイマである。
【００７８】
ＣＰＵ２５Ａは、例えば、ＲＯＭ２７Ａに記憶されている各種処理プログラムに従って、各種の制御処理を行う。
【００７９】
ＲＡＭ２６Ａは、ＣＰＵ２５Ａにより演算処理されたデータを格納するワークメモリエリアを形成している。
【００８０】
ＲＯＭ２７Ａは、例えば、表示プログラム２７１Ａ、拡大表示プログラム２７２Ａ、画像制御プログラム２７３Ａ、判断プログラム２７４Ａ、第２画像制御プログラム２７５Ａ、スクラップブック再生プログラム２７６Ａ等が格納されている。
【００８１】
表示プログラム２７１Ａは、例えば、検索要求に応じてコンテンツサーバ１０から配信された検索結果情報を受信した場合、当該検索結果情報内にある書籍コンテンツのサンプル画像データに基づき、先頭頁の画像をサムネイル表示したサムネイル画面Ｇ５を表示する機能を、ＣＰＵ２５Ａに実現させるプログラムである。
即ち、ＣＰＵ２５Ａは、表示プログラム２７１Ａを実行することで、コンテンツサーバ１０から配信された検索結果情報に応じて、サムネイル画面Ｇ５を表示部２２Ａに表示させる（図１５参照）。
ＣＰＵ２５Ａは、かかる表示プログラム２７１Ａを実行することによって、表示部２２Ａと共に表示手段として機能している。
【００８２】
拡大表示プログラム２７２Ａは、例えば、サムネイル画面Ｇ５上にサムネイル表示された書籍コンテンツのサンプル画像に対して、ユーザがサンプル画像を拡大させる指示（タップ操作）を行った場合、当該指示の行われた書籍コンテンツのサンプル画像を拡大表示した拡大画面Ｇ６を表示する機能を、ＣＰＵ２５Ａに実現させプログラムである。
具体的に、ＣＰＵ２５Ａは、拡大表示プログラム２７２Ａを実行することで、サムネイル画面Ｇ５と切り替えて、拡大画面Ｇ６を表示する（図１６参照）。
即ち、本実施形態においては、検索結果画面であるサムネイル画面Ｇ５の一部を拡大表示させ、頁捲り動作を行うようになっている。
ＣＰＵ２５Ａは、かかる拡大表示プログラム２７２Ａを実行することによって、表示部２２Ａと共に拡大表示手段として機能している。
【００８３】
画像制御プログラム２７３Ａは、例えば、拡大画面Ｇ６上に拡大表示された書籍コンテンツのサンプル画像に対して、ユーザが頁捲り動作の指示を行った場合、拡大画面Ｇ６上で、当該指示の行われた書籍コンテンツのサンプル画像を１頁毎に頁捲り動作させる機能を、ＣＰＵ２５Ａに実現させプログラムである。
具体的に、拡大画面Ｇ６上に拡大表示されたサンプル画像に対して、ユーザが頁捲り動作の指示を行った場合、ＣＰＵ２５Ａは、画像制御プログラム２７３Ａを実行し、拡大画面Ｇ６上で、当該画像を１頁毎に頁捲り動作させる（図１７参照）。
また、ＣＰＵ２５Ａは、画像制御プログラム２７３Ａの実行により、二次コンテンツの画像に対して頁捲り動作の指示が行われた場合にも、拡大画面Ｇ６上で、当該指示の行われた二次コンテンツの画像を頁捲り動作させる（図１８Ａ、図１８Ｂ参照）。
このとき、ＣＰＵ２５Ａは、コンテンツサーバ１０と通信を行って、データベース３０の書籍コンテンツ情報３１やレコメンド情報３２から未取得の頁情報を取得している。
ＣＰＵ２５Ａは、かかる画像制御プログラム２７３Ａを実行することにより、画像制御手段として機能している。
【００８４】
判断プログラム２７４Ａは、例えば、拡大画面Ｇ６が表示されてから、予め設定された所定時間以内に頁捲り動作の指示があるか否か判断する機能を、ＣＰＵ２５Ａに実現させプログラムである。
具体的に、ＣＰＵ２５Ａは、表示部２２Ａに拡大画面Ｇ６が表示された時点を計時開始時点として計時部２３Ａにより計時を開始し、頁捲り動作の指示が行われない限り計時を続行する。そして、頁捲り動作の指示が行われないうちに予め設定された所定時間内に達した場合、頁捲り動作を自動で実行する指示信号を出力する。
ＣＰＵ２５Ａは、かかる判断プログラム２７４Ａを実行することによって、判断手段として機能している。
【００８５】
第２画像制御プログラム２７５Ａは、例えば、判断プログラム２７４Ａの実行により頁捲り動作の指示がないと判断された場合、拡大画面Ｇ６上で、予め設定された条件に基づいて書籍コンテンツのサンプル画像を１頁毎に頁捲り動作させる機能を、ＣＰＵ２５Ａに実現させプログラムである。
即ち、ＣＰＵ２５Ａは、頁捲り動作を自動で実行する指示信号に応じて、第２画像制御プログラム２７５Ａを実行し、拡大画面Ｇ６上で、予め設定された条件に基づいて、書籍コンテンツのサンプル画像の頁捲り動作を実行する（図１７参照）。
ＣＰＵ２５Ａは、かかる第２画像制御プログラム２７５Ａを実行することによって、第２画像制御手段として機能している。
【００８６】
スクラップブック再生プログラム２７６Ａは、スクラップブック作成要求に応じてコンテンツサーバ１０から配信されたスクラップブックを受信した場合、スクラップブックを再生する機能を、ＣＰＵ２５Ａに実現させるプログラムである。
即ち、ＣＰＵ２５Ａは、スクラップブック作成要求に応じてコンテンツサーバ１０により作成・配信されたスクラップブックを受信した場合、スクラップブック再生プログラム２７６Ａを実行し、スクラップブックを再生する。
ＣＰＵ２５Ａは、かかるスクラップブック再生プログラム２７６Ａを実行することによって、スクラップブック再生手段として機能している。
【００８７】
次に、図１９及び図２０を用いて、書籍コンテンツの検索時の本システムの動作を、説明する。
【００８８】
先ず、ステップＳ２０１〜ステップＳ２０４として、第１実施形態のステップＳ１０１〜ステップＳ１０４と同様の処理が、ユーザ端末２０ＡのＣＰＵ２５Ａ及びコンテンツサーバ１０のＣＰＵ１１により実行される。
【００８９】
次いで、ステップＳ２０５において、ユーザ端末２０ＡのＣＰＵ２５Ａは、表示部２２Ａにサムネイル画面Ｇ５を表示する。
次いで、ステップＳ２０６において、ユーザ端末２０ＡのＣＰＵ２５Ａは、一括再生したい書籍コンテンツの画像の選択操作が有るか否かを判断し、当該選択操作が有った場合（ステップＳ２０６：ＹＥＳ）、後述のステップＳ２１２に移行する。
一方、選択操作が無い場合（ステップＳ２０６：ＮＯ）、続くステップＳ２０７において、ユーザ端末２０ＡのＣＰＵ２５Ａは、操作部２１Ａにより画像を拡大させる指示が行われたか否かを判断し、当該指示が無い場合（ステップＳ２０７：ＮＯ）、このステップＳ２０７の処理を繰り返す。
一方、指示が有った場合（ステップＳ２０７：ＹＥＳ）、続くステップＳ２０８において、ユーザ端末２０ＡのＣＰＵ２５Ａは、サムネイル画面Ｇ５と切り替えて、拡大画面Ｇ６を表示させる。
次いで、ステップＳ２０９において、ユーザ端末２０ＡのＣＰＵ２５Ａは、操作部２１Ａにより頁捲り動作の指示が有るか否かを判断し、当該指示が有った場合（ステップＳ２０９：ＹＥＳ）、後述のステップＳ２１１に移行する。
一方、当該指示が無い場合（ステップＳ２０９：ＮＯ）、続くステップＳ２１０において、ユーザ端末２０ＡのＣＰＵ２５Ａは、所定時間が経過したか否かを判断し、所定時間が経過していないと判断した場合（ステップＳ２１０：ＮＯ）、前記したステップＳ２０６に戻って以降の処理を繰り返す。
一方、所定時間が経過したと判断した場合（ステップＳ２１０：ＹＥＳ）、ユーザ端末２０ＡのＣＰＵ２５Ａは、続くステップＳ２１１に移行する。
次いで、ステップＳ２１１において、ユーザ端末２０ＡのＣＰＵ２５Ａは、画像の頁捲り動作を実行する。
【００９０】
次いで、ステップＳ２１２〜ステップＳ２１５として、第１実施形態のステップＳ１１２〜ステップＳ１１５と同様の処理が、ユーザ端末２０ＡのＣＰＵ２５Ａ及びコンテンツサーバ１０のＣＰＵ１１により実行される。
【００９１】
以上のように、本実施形態によれば、ユーザ端末２０Ａは、コンテンツサーバ１０から配信された検索結果情報を受信した場合、当該検索結果情報内にある書籍コンテンツのサンプル画像データに基づき、先頭頁の画像をサムネイル表示したサムネイル画面Ｇ５を表示させ、サムネイル画面Ｇ５上にサムネイル表示された書籍コンテンツのサンプル画像に対して、ユーザがサンプル画像を拡大させる指示を行った場合、当該指示の行われた書籍コンテンツのサンプル画像を拡大表示した拡大画面Ｇ６を表示させる。そして、この拡大画面Ｇ６上に拡大表示された書籍コンテンツのサンプル画像に対して、ユーザが頁捲り動作の指示を行った場合、拡大画面Ｇ２上で、当該指示の行われた書籍コンテンツのサンプル画像を１頁毎に頁捲り動作させる。
このため、検索の結果として得られたコンテンツを表示した検索結果画面の一部を拡大表示させた拡大画面Ｇ６から移動することなしに、この画面上でサンプル画像の頁が捲られて書籍内容が閲覧可能となり、書籍コンテンツに関するより詳細な情報を得ることができる。
【００９２】
なお、本実施形態においても、表示部２２Ａの略全面に亘ってサムネイル画面Ｇ５又は拡大画面Ｇ６が表示される場合を例示して説明したが、表示部２２Ａの一部に表示させることも可能である。
このようにして、本システムは、例えば、ブログパーツや、リスティング・ｗｅｂコンテンツ連動型広告として利用することができる。
【００９３】
また、本発明の細部構成については、上記第１及び第２実施形態の内容に限定されるものではなく、本発明の趣旨を逸脱しない範囲で適宜変更可能である。
【産業上の利用可能性】
【００９４】
本発明は、情報通信分野等に利用することができる。
【符号の説明】
【００９５】
１００  書籍コンテンツ配信システム
１０  コンテンツサーバ
１１  ＣＰＵ
１３  ＲＯＭ
１３１  検索プログラム（検索手段）
１３２  サンプル画像データ作成プログラム（サンプル画像データ作成手段）
１３３  スクラップブック作成プログラム（スクラップブック作成手段）
１４  通信部（検索結果情報配信手段、スクラップブック配信手段）
３０  データベース
３１  書籍コンテンツ情報（検索用データベース）
２０、２０Ａ  ユーザ端末
２１、２１Ａ  操作部
２２、２２Ａ  表示部（表示手段、拡大表示手段）
Ｇ１、Ｇ５  サムネイル画面
Ｇ２、Ｇ６  拡大画面
Ｇ４  一括再生画面
２３、２３Ａ  計時部
２４  通信部
２５、２５Ａ  ＣＰＵ
２７、２７Ａ  ＲＯＭ
２７１、２７１Ａ  表示プログラム（表示手段）
２７２、２７２Ａ  拡大表示プログラム（拡大表示手段）
２７３、２７３Ａ  画像制御プログラム（画像制御手段）
２７４、２７４Ａ  判断プログラム（判断手段）
２７５、２７５Ａ  第２画像制御プログラム（第２画像制御手段）
２７６、２７６Ａ  スクラップブック再生プログラム（スクラップブック再生手段）
Ｎ  通信ネットワーク
【図１】
2012039054.tif 000003
【図２】
2012039054.tif 000004
【図３】
2012039054.tif 000005
【図４】
2012039054.tif 000006
【図５】
2012039054.tif 000007
【図６Ａ】
2012039054.tif 000008
【図６Ｂ】
2012039054.tif 000009
【図６Ｃ】
2012039054.tif 000010
【図７】
2012039054.tif 000011
【図８Ａ】
2012039054.tif 000012
【図８Ｂ】
2012039054.tif 000013
【図９】
2012039054.tif 000014
【図１０】
2012039054.tif 000015
【図１１】
2012039054.tif 000016
【図１２】
2012039054.tif 000017
【図１３】
2012039054.tif 000018
【図１４】
2012039054.tif 000019
【図１５】
2012039054.tif 000020
【図１６】
2012039054.tif 000021
【図１７】
2012039054.tif 000022
【図１８Ａ】
2012039054.tif 000023
【図１８Ｂ】
2012039054.tif 000024
【図１９】
2012039054.tif 000025
【図２０】
2012039054.tif 000026
【国際調査報告】
2012039054.tif 000027
2012039054.tif 000028
2012039054.tif 000029